(57)【要約】【課題】  各筐体間の電気的接続を、装置の小型化に支障を生じることがなく、高い信頼性をもってデータの取り扱いをなし得るようにし、伸長状態においても電気的接続部分を見せないようにする。【解決手段】  第一筐体１２と第二筐体１３とを互いにスライド可能に連結し、相対的にスライドさせることにより伸長状態もしくは収縮状態となる構造とする。第二筐体１３の操作キー用基板３１に端子３２を設ける。第一筐体１２に、可撓性を有するフレキシブル配線板３４を設ける。第二筐体１３に挿入口３３を形成し、フレキシブル配線板３４の他端部を挿入する。フレキシブル配線板３４の導体面３４ａの導体と摺動可能に導通接触させる。【選択図】      図１
2005136601.tif 000002
【特許請求の範囲】
【請求項１】
互いにスライド可能に連結された第一筐体及び第二筐体を有し、これら第一筐体及び第二筐体を相対的にスライドさせることにより伸縮可能な携帯端末であって、
前記第一筐体と第二筐体とを電気的に接続するフレキシブル配線板を備え、
該フレキシブル配線板は、前記第一筐体と第二筐体とを収縮状態とする際に、前記第二筐体内へ引き込まれて収納され、前記第一筐体と第二筐体とを伸長状態とする際に、前記第二筐体内から引き出されることを特徴とする携帯端末。
【請求項２】
前記フレキシブル配線板は、その導体面を前記第一筐体側に向けて前記第一筐体に沿って設けられたことを特徴とする請求項１記載の携帯端末。
【請求項３】
前記第二筐体は、電池と、操作部用基板とを有し、前記フレキシブル配線板は、前記電池と操作部用基板との間に収納されることを特徴とする請求項１または２のいずれかに記載の携帯端末。
【請求項４】
前記第二筐体には、前記フレキシブル配線板の導体と摺動可能に導通接触することにより、前記第一筐体と第二筐体とを電気的に接続する端子を備えていることを特徴とする請求項１から３のいずれか１項に記載の携帯端末。
【請求項５】
前記フレキシブル配線板は、前記導体面と相反する面に補強部材が貼り付けられていることを特徴とする請求項１から４のいずれか１項に記載の携帯端末。
【請求項６】
少なくとも送話部及び受話部を有する携帯電話機であることを特徴とする請求項１から５のいずれか１項に記載の携帯端末。
【発明の詳細な説明】
【技術分野】
【０００１】
本発明は、互いに相対移動できるように連結された二つの筐体を有し、これら筐体を電気的に接続するようにした携帯端末に関するものである。
【背景技術】
【０００２】
近年、携帯端末として各種のものが提供されているが、多種機能確保等の要請と装置の小型化の要請を両立させるべく、装置を互いに連結された二つの筐体で構成し、電話としての使用時やキー操作等を重視した使用時には各筐体を変位させて伸長させ、閲覧を重視した使用時や不使用時には各筐体を全体がコンパクトになるように変位させて収縮させるようにしたものが提案されている。
この種の携帯端末においては、例えば一方の筐体に各種の操作キーを有する操作部を設け、他方の筐体に液晶表示部を設ける等の構成を採用しており、各筐体間を電気的に接続する必要がある。
【０００３】
従来このような場合の電気的接続手段としては、螺旋状くせを付けたケーブルで接続したり、あるいは螺旋状にくせを付けたフレキシブル配線板（ＦＰＣ：Flexible Printed Circuit）を巻き取る構造が知られている。
また、筐体にラックを備え、ピニオンを回転させてフレキシブル配線板を巻き取る構造も知られている。
【特許文献１】特開２００３−３１９６８号公報
【発明の開示】
【発明が解決しようとする課題】
【０００４】
しかしながら、上記の電気的接続を行う手段においては、フレキシブル配線板を小さな半径の軸に巻き付け、伸長時には真っ直ぐに伸ばすため、信号線の銅箔にストレスがかかり銅箔が切断されることがあり電気的接続の信頼性に欠けることが想定できる。リード線を用いるものにあっては外観意匠を損なう一方、リード線が多大なスペースを占有し、特に小型化の要請の強い機器に対して適用できないものであった。また、いずれの手段においても、二つの筐体を大きく移動さることができないという問題があった。
【０００５】
この発明は、このような事情を考慮してなされたもので、その目的は、一対の筐体が互いに相対移動自在に連結された携帯端末において、各筐体間の電気的接続を、装置の小型化に支障を生じることがなく、高い信頼性をもってデータの取り扱いをなし得るようにし、伸長状態においても電気的接続部分を外観に出さないようにした携帯端末を提供することにある。
【課題を解決するための手段】
【０００６】
上記目的を達成するために、本発明は、互いにスライド可能に連結された第一筐体及び第二筐体を有し、これら第一筐体及び第二筐体を相対的にスライドさせることにより伸縮可能な携帯端末であって、前記第一筐体と第二筐体とを電気的に接続するフレキシブル配線板を備え、該フレキシブル配線板は、前記第一筐体と第二筐体とを収縮状態とする際に、前記第二筐体内へ引き込まれて収納され、前記第一筐体と第二筐体とを伸長状態とする際に、前記第二筐体内から引き出されることを特徴としている。
【０００７】
また、また前記フレキシブル配線板は、その導体面を前記第一筐体側に向けて前記第一筐体に沿って設けられたことを特徴としている。また前記第二筐体が、電池と、操作部用基板とを有し、前記フレキシブル配線板は、前記電池と操作部用基板との間に収納されることを特徴としている。
また、前記第二筐体に、前記フレキシブル配線板の導体と摺動可能に導通接触することにより、前記第一筐体と第二筐体とを電気的に接続する端子を備えていることを特徴としている。
【０００８】
また、前記フレキシブル配線板の前記導体面と相反する面に補強部材が貼り付けられていることを特徴としている。
また、少なくとも送話部及び受話部を有する携帯電話機であることを特徴としている。
【発明の効果】
【０００９】
本発明によれば、各筐体間の電気的接続を、装置の小型化に支障を生じることがなく、高い信頼性をもってデータの取り扱いをなし得るようにし、伸長状態においても電気的接続部分を見せないようにすることができる。
【発明を実施するための最良の形態】
【００１０】
以下、本発明を実施するための最良の形態に係る携帯端末について図面を参照して説明する。
図１は、実施形態に係る携帯端末を示す伸長状態における正面図及び断面図、図２は、携帯端末を示す収縮状態における正面図及び断面図である。
図に示すように、この携帯端末１１は、第一筐体１２及び第二筐体１３を有している。これら第一筐体１２及び第二筐体１３は、相対的に互いに長手方向に沿ってスライドされて伸長させた伸長状態（図１に示す状態）及び収縮させた収縮状態（図２に示す状態）の二つの形態となる。
【００１１】
第一筐体１２には、受話器１４、表示部１５、サブキー操作部１６といった主要部品が配置されている。
もう一方の第二筐体１３には、キー操作部１７、送話器１８といった主要部品が配置され、内部には、電池１９が着脱可能に設けられている。
キー操作部１７は、各種操作指示を行うためのものである。このキー操作部１７には、少なくとも電話番号や文章入力に必要なテンキー、着信ボタン、ファンクションキーである機能選択キーなどの各種ボタン及び操作キーが設けられている。
【００１２】
サブキー操作部１６は、主に収縮状態で必要とされる各種操作キーが配置されている。例えば、収縮状態でも電話の着信を受けたい場合は、着信ボタンを配置又は必要に応じてユーザ側でキーの機能を割り付けることも出来る。
表示部１５は、液晶画面（ＬＣＤ：Liquid Crystal Display）からなり、電話番号の表示やメニュー画面などの表示を行う。
この表示部１５は、第一筐体１２及び第二筐体１３が互いにスライドすることにより形状が変わることから考えると、収縮状態では手書き入力することを前提にＰＤＡ（Personal Digital Assistants）的な使い方が重視され、伸長状態では通常の携帯電話的な使い方が実用的である。
【００１３】
図３は、携帯端末の機能を説明するブロック図である。
図に示すように、この携帯端末１１は、ＣＰＵ２１を有し、このＣＰＵ２１には、操作部２２、入力部２３、ＲＯＭ２４、ＲＡＭ２５及び通信部２６が接続されている。そして、ＣＰＵ２１によって、これら操作部２２、入力部２３、ＲＯＭ２４、ＲＡＭ２５及び通信部２６による携帯通信処理が行われる。
【００１４】
第二筐体１３には、電池１９と対向する位置に、この電池１９に対して隙間をあけて、キー操作部用基板３１が設けられている。このキー操作部用基板３１は、キー操作部１７を構成する基板で、キー操作部１７を構成している面との反対面には、端子３２が設けられている。
また、第二筐体１３には、伸長状態にて第一筐体１２と連結されている端部側に、挿入口３３が形成されている。
【００１５】
第一筐体１２は、この第一筐体１２の長さ寸法よりも長い可撓性を有するフレキシブル配線板３４を備えている。このフレキシブル配線板３４は、その一端部が、伸長状態にて第二筐体１３から離間する第一筐体の端部に接続されている。また、フレキシブル配線板３４は、その他端部が、第二筐体１３の挿入口３３から第二筐体１３内に挿入されており、収縮状態とする際に、第二筐体１３の操作キー用基板３１と電池１９との間に案内されて収納されるようになっている。
【００１６】
このフレキシブル配線板３４は、操作キー用基板３１と対向する面が導体面３４ａとされ、この導体面３４ａに、端子３２が摺動可能に導通接触する導体が設けられている。
また、このフレキシブル配線板３４は、導体面と相反する面に、図示しない補強部材が貼り付けられている。
【００１７】
上記構造の携帯端末１１では、収縮状態では、第一筐体１２のフレキシブル配線板３４は、第二筐体１３の挿入口３３から第二筐体１３内に挿入されて操作キー用基板３１と電池１９との間に収納される。
また、この収縮状態から第一筐体１２と第二筐体１３とを相対的にスライドさせて伸長状態とすると、スライドにともなって第二筐体１３内に収納されていたフレキシブル配線板３４が挿入口３３から引き出される。
そして、上記のようなスライド動作を行う際にも、第一筐体１２に設けられたフレキシブル配線板３４の導体面３４ａの導体と、第二筐体１３に設けられた端子３２とが導通接触し、これら第一筐体１２と第二筐体１３との電気的接続状態が維持され、このフレキシブル配線板３４によってデータの送受等が可能とされる。
【００１８】
以上、説明したように、上記実施形態に係る携帯端末１１によれば、各筐体１２、１３間のデータの送受等がフレキシブル配線板３４を介してなされるので、多量のデータの取り扱いが可能であり、高い信頼性を確保することができる。
また、伸長状態に有る場合はフレキシブル配線板３４が第二筐体１３内より引き出され、収縮状態では第二筐体１３内に収納される構造であるのでコンパクト化を図ることができる。
【００１９】
特に、フレキシブル配線板３４が第二筐体１３内の電池１９と操作キー用基板３１との間に収納される構造であるので、電池１９の交換作業に支障を来すことなく、コンパクト化を図ることができる。
また、各筐体１２、１３を移動させた場合に、フレキシブル配線板３４の導体と第二筐体１３内の端子３２とが摺動することで電気的な接続状態を確保するので、端子３２を露出することなく見栄えの良い外観を確保することができる。しかも、第一筐体１２と第二筐体１３の電気的接続を第二筐体１３内で行えるので、ユーザ等の不注意により接点が破損されるような不具合をなくすことができる。
【００２０】
さらに、フレキシブル配線板３４の導体面３４ａと相反する面に補強部材を貼り付けることにより、フレキシブル配線板３４に直接摺動抵抗が加わることが無くなり、導体へのストレスが避けられ、フレキシブル配線板３４の導体が断線する恐れを低減することができる。また、高い信頼性が確保され、しかもコンパクト化が図られたスライド式の携帯電話機とすることができる。
【００２１】
また、挿入口３３は、フレキシブル配線板３４が挿入できる程度の小さな孔で良いので、例えば、第一筐体１２と第二筐体１３との接続部分でこれらの筐体の相対移動をガイドする機構や、これらの筐体を互いに連結する保持機構の近傍に挿入口３３を形成すれば、これらの機構や第一あるいは第二の筐体を利用して挿入口３３を隠すことができる。また、筐体１２，１３は、スライド式という機構上、一部が重なり合う構造となるのが一般的であるから、この重なり領域にに挿入口３３を設ければ、挿入口３３を隠すことによって筐体１２，１３同士のスライド量が制限されるようなこともない。
尚、本発明の携帯端末は、携帯電話機や携帯情報端末（ＰＤＡ）などを含むものである。
【図面の簡単な説明】
【００２２】
【図１】本発明の実施形態に係る携帯端末を示す伸長状態における正面図及び断面図である。
【図２】実施形態に係る携帯端末を示す収縮状態における正面図及び断面図である。
【図３】実施形態に係る携帯端末の機能を説明する機能ブロック図である。
【符号の説明】
【００２３】
１１  携帯端末        １２  第一筐体          １３  第二筐体
１４  受話部          １８  送話部            １９  電池
３１  キー操作部用基板                        ３２  端子
３４  フレキシブル配線板                      ３４ａ  導体面
【図１】
2005136601.tif 000003
【図２】
2005136601.tif 000004
【図３】
2005136601.tif 000005